(57)【特許請求の範囲】
【請求項１】
車体の窓枠に沿って装着されて窓ガラスのスライド移動を案内するように弾性ポリマー材料により長尺に形成され、前記窓枠に装着されたときに前記窓ガラスの端面と対向する基底部と該基底部の幅方向両側からそれぞれ立ち上がる車内側及び車外側の側壁部とを備えたガラスランチャンネル組立体であって、
押出成形により形成され、前記窓枠の上辺部と縦辺部に装着される押出成形部と、
型成形により形成され、前記上辺部に装着される押出成形部の端末部と前記縦辺部に装着される押出成形部の端末部とを接続して前記窓枠のコーナー部に装着される型成形部と、
前記押出成形部の車内側及び車外側の側壁部のうちの少なくとも一方の側壁部の外側面から外方へ延びて前記窓枠と係合可能な係合リップと、
前記型成形部の車内側及び車外側の側壁部のうちの前記係合リップと同じ側の側壁部の外側面から外方へ突出して前記窓枠と係合可能な凸形状の係合突起とを備え、
前記押出成形部の端末部において前記側壁部を外側方向へ湾曲させて前記係合リップに密着させることで、前記押出成形部の側壁部の外表面から前記係合リップの先端までの距離と前記型成形部の側壁部の外表面から前記係合突起の頂点までの距離とが前記係合リップと前記係合突起との接合部及びその近傍の全域において一定になり、少なくとも前記係合リップの先端と前記係合突起の頂点とが連続して繋がるように前記係合リップと前記係合突起とが接合され、前記窓枠に装着されたときに前記係合リップと前記係合突起との接合部及びその近傍の全域において前記係合リップ及び前記係合突起が対向する前記窓枠に対して密着して係合可能なように構成されていることを特徴とするガラスランチャンネル組立体。
【請求項２】
前記係合突起は、山形断面形状で前記係合リップよりも横断面積が大きくなるように形成されていることを特徴とする請求項１に記載のガラスランチャンネル組立体。
【請求項３】
前記係合突起は、前記車外側の側壁部のみに設けられていることを特徴とする請求項１又は２に記載のガラスランチャンネル組立体。
【請求項４】
前記係合突起は、前記車内側及び車外側の両方の側壁部に設けられていることを特徴とする請求項１又は２に記載のガラスランチャンネル組立体。
【請求項５】
前記押出成形部と前記型成形部は、オレフィン系熱可塑性エラストマーで形成されていることを特徴とする請求項１乃至４のいずれかに記載のガラスランチャンネル組立体。
【請求項６】
請求項１乃至５のいずれかに記載のガラスランチャンネル組立体を製造する方法であって、
前記上辺部に装着される押出成形部の端末部と前記縦辺部に装着される押出成形部の端末部とを前記型成形部の成形型にセットして前記型成形部を成形する際に、前記押出成形部の端末部において前記成形型の中子により前記側壁部を外側方向へ押し出して前記係合リップに密着させて前記押出成形部の側壁部の外表面から前記係合リップの先端までの距離と前記型成形部の側壁部の外表面から前記係合突起の頂点までの距離とが前記係合リップと前記係合突起との接合部及びその近傍の全域において一定になるように前記係合リップを保持した状態で前記型成形部を成形することで、前記係合リップの先端と前記係合突起の頂点とが段差無く連続して繋がるように前記係合リップと前記係合突起とを接合することを特徴とするガラスランチャンネル組立体の製造方法。
【請求項７】
前記押出成形部の端末部において、前記成形型の中子に設けた突起によって前記側壁部を外側方向へ押し出すことを特徴とする請求項６に記載のガラスランチャンネル組立体の製造方法。
【請求項８】
前記押出成形部の側壁部の端末部を該側壁部の先端側よりも基底部側の方が余計に残るように段カットした状態で前記成形型にセットすることを特徴とする請求項６又は７に記載のガラスランチャンネル組立体の製造方法。
【発明の詳細な説明】
【技術分野】
【０００１】
本発明は、車体の窓枠に沿って装着されて窓ガラスのスライド移動を案内するガラスランチャンネル組立体及びその製造方法に関する発明である。
【背景技術】
【０００２】
一般に、自動車の窓枠に沿って装着されるガラスランチャンネル組立体は、窓枠の上辺部と縦辺部に装着される押出成形部をそれぞれ押出成形により形成し、これらの上辺部に装着される押出成形部の端末部と、縦辺部に装着される押出成形部の端末部との間に、窓枠のコーナー部に装着される型成形部を型成形により形成することで、上辺部に装着される押出成形部の端末部と縦辺部に装着される押出成形部の端末部とを型成形部を介して接続するようにしている。
【０００３】
このガラスランチャンネル組立体の押出成形部と型成形部に、それぞれ窓ガラスの端面と対向する基底部と、この基底部の幅方向両側からそれぞれ立ち上がる車内側及び車外側の側壁部等を一体に形成し、更に、押出成形部の側壁部の外側面から外方へ延びる係合リップを設けると共に、型成形部の側壁部の外側面から外方へ突出する山形断面の係合突起を設け、窓枠にガラスランチャンネル組立体を装着する際に、窓枠に押出成形部の係合リップと型成形部の係合突起を係合させることで、窓枠にガラスランチャンネル組立体を抜け止め保持するようにしたものがある。
【０００４】
このようなガラスランチャンネル組立体においては、特許文献１（特開平４−３６８２２５号公報）に記載されているように、上辺部に装着される押出成形部の端末部と縦辺部に装着される押出成形部の端末部とを型成形部の成形型にセットして型成形部を成形する際に、押出成形部の端末部において係合リップを側壁部に押し付けて潰した状態で型成形部を成形して、押出成形部の係合リップと型成形部の係合突起とを接合するようにしたものがある。
【０００５】
また、特許文献２（特開２００２−１２０３８号公報）に示すように、型成形部に押出成形部の係合リップと同一断面形状の係合リップを設けて、押出成形部の係合リップと型成形部の係合リップとを段差無く接合するようにしたものもある。
【特許文献１】特開平４−３６８２２５号公報（第２頁等）
【特許文献２】特開２００２−１２０３８号公報（第６図等）
【発明の開示】
【発明が解決しようとする課題】
【０００６】
しかし、上記特許文献１のガラスランチャンネル組立体は、押出成形部の端末部において係合リップを側壁部に押し付けて潰した形状としているため、押出成形部の係合リップと型成形部の係合突起との接合部において段差ができて、その部分において係合リップや係合突起を窓枠に十分に密着させることができず、接合部の水や音等に対するシール性が低下するという不具合がある。
【０００７】
また、上記特許文献２のガラスランチャンネル組立体は、型成形部に押出成形部の係合リップと同一断面形状の係合リップを設けるために、型成形部の成形型をスライドコア構造にする必要があるため、型成形部の成形型の型構造が複雑化して、型成形部の成形型を一度に多数の型成形部を成形可能な構成にすることが困難になり、型成形部の成形効率が低下してガラスランチャンネル組立体の製造効率が低下するという不具合がある。
【０００８】
本発明は、これらの事情を考慮してなされたものであり、従って本発明の目的は、ガラスランチャンネル組立体の押出成形部の係合リップと型成形部の係合突起との接合部のシール性を向上させることができると共に、ガラスランチャンネル組立体の製造効率を向上させることができるようにすることにある。
【課題を解決するための手段】
【０００９】
上記目的を達成するために、請求項１に係る発明は、車体の窓枠に沿って装着されて窓ガラスのスライド移動を案内するように弾性ポリマー材料により長尺に形成され、窓枠に装着されたときに窓ガラスの端面と対向する基底部と該基底部の幅方向両側からそれぞれ立ち上がる車内側及び車外側の側壁部とを備えたガラスランチャンネル組立体であって、押出成形により形成され、窓枠の上辺部と縦辺部に装着される押出成形部と、型成形により形成され、上辺部に装着される押出成形部の端末部と縦辺部に装着される押出成形部の端末部とを接続して窓枠のコーナー部に装着される型成形部と、押出成形部の車内側及び車外側の側壁部のうちの少なくとも一方の側壁部の外側面から外方へ延びて窓枠と係合可能な係合リップと、型成形部の車内側及び車外側の側壁部のうちの係合リップと同じ側の側壁部の外側面から外方へ突出して窓枠と係合可能な凸形状の係合突起とを備え、前記押出成形部の端末部において前記側壁部を外側方向へ湾曲させて前記係合リップに密着させることで、前記押出成形部の側壁部の外表面から前記係合リップの先端までの距離と前記型成形部の側壁部の外表面から前記係合突起の頂点までの距離とが前記係合リップと前記係合突起との接合部及びその近傍の全域において一定になり、少なくとも係合リップの先端と係合突起の頂点とが連続して繋がるように係合リップと係合突起とが接合され、窓枠に装着されたときに係合リップと係合突起との接合部及びその近傍の全域において係合リップ及び係合突起が対向する窓枠に対して密着して係合可能なように構成したものである。ここで、型成形部は、所定形状の成形キャビティ内に成形材料を充填した後、成形キャビティ内で成形材料を固化又は硬化させて成形（典型的には射出成形）した部分である。
【００１０】
この構成では、係合リップの先端と係合突起の頂点とが連続して繋がるように係合リップと係合突起とを接合することで、係合リップと係合突起との接合部及びその近傍の全域において係合リップ及び係合突起を対向する窓枠に対して十分な密着力で密着して係合させることができるため、係合リップと係合突起との接合部の水や音等に対するシール性を向上させることができる。
【００１１】
しかも、型成形部の成形型をスライドコア構造にしなくても、型成形部に山形断面の係合突起を設けることができるため、型成形部の成形型の型構造を簡単化することができる。これにより、型成形部の成形型を一度に多数の型成形部を成形可能な構成にして、型成形部を効率良く成形することが可能となり、ガラスランチャンネル組立体の製造効率を向上させることができる。
【００１２】
また、請求項２のように、係合突起は、山形断面形状で係合リップよりも横断面積が大きくなるように形成すると良い。このようにすれば、係合リップと係合突起の接合が容易且つ確実になる上、窓枠にガラスランチャンネル組立体を装着する際に、窓枠に型成形部の係合突起を確実に係合させることができる。
【００１３】
一般に、ガラスランチャンネル組立体は、車外側の方から水等が浸入するため、少なくとも車外側のシール性を高めることが好ましい。そこで、請求項３のように、係合突起は、車外側の側壁部のみに設けるようにしても良い。このようにすれば、車外側の側壁部に設けた係合突起によってガラスランチャンネル組立体の車外側のシール性を確保することができる。
【００１４】
或は、請求項４のように、係合突起は、車内側及び車外側の両方の側壁部に設けるようにしても良い。このようにすれば、車内側及び車外側の両方の側壁部に設けた係合突起によってガラスランチャンネル組立体の車内側及び車外側の両方でシールできるため、確実にシールすることができる。
【００１５】
更に、請求項５のように、押出成形部と型成形部は、オレフィン系熱可塑性エラストマーで形成すると良い。このようにすれば、ゴムの場合の加硫が不要となり、押出成形部や型成形部を押出成形や型成形で簡単に成形することができると共に、押出成形部や型成形部に要求される適度な弾性を持たせることができる。
【００１６】
本発明のガラスランチャンネル組立体を製造する場合には、請求項６のように、上辺部に装着される押出成形部の端末部と縦辺部に装着される押出成形部の端末部とを型成形部の成形型にセットして型成形部を成形する際に、押出成形部の端末部において成形型の中子により側壁部を外側方向へ押し出して係合リップに密着させて押出成形部の側壁部の外表面から係合リップの先端までの距離と型成形部の側壁部の外表面から係合突起の頂点までの距離とが係合リップと係合突起との接合部及びその近傍の全域において一定になるように係合リップを保持した状態で型成形部を成形することで、係合リップの先端と係合突起の頂点とが段差無く連続して繋がるように係合リップと係合突起とを接合するようにすると良い。このようにすれば、型成形部の成形型の型構造を複雑化することなく、型成形部を成形して本発明のガラスランチャンネル組立体を製造することができる。
【００１７】
この場合、請求項７のように、押出成形部の端末部において、成形型の中子に設けた突起によって側壁部を外側方向へ押し出すようにすると良い。このようにすれば、成形型の中子に設けた突起によって確実に側壁部を外側方向へ押し出して係合リップに密着させることができる。
【００１８】
ところで、押出成形部の側壁部の端末部を直線状にカットした状態で成形型にセットするようにしても良いが、押出成形部の端末部において成形型の中子により側壁部を外側方向へ押し出して係合リップに密着させたときに、側壁部を外側方向へ押し出して湾曲させた分だけ側壁部が基底部側に引っ張られるため、側壁部の高さ寸法が短くなる可能性がある。
【００１９】
この対策として、請求項８のように、押出成形部の側壁部の端末部を該側壁部の先端側よりも基底部側の方が余計に残る（つまり側壁部の基底部側よりも先端側の方が押出成形部の長手方向に短くなる）ように段カットした状態で成形型にセットするようにすると良い。このようにすれば、押出成形部の端末部において成形型の中子により側壁部を外側方向へ押し出して係合リップに密着させたときに、側壁部を外側方向へ押し出して湾曲させた分だけ側壁部が基底部側に引っ張られても、側壁部の先端側を成形型で型成形することができるため、側壁部の高さ寸法が短くなることを防止することができる。
【発明を実施するための最良の形態】
【００２０】
以下、本発明を実施するための最良の形態を具体化した幾つかの実施例を説明する。
【実施例１】
【００２１】
本発明の実施例１を図１乃至図１２に基づいて説明する。
図１に示すように、車体のサッシュドアの窓枠１１（図３乃至図５参照）には、該窓枠１１の内周側に沿って弾性ポリマー材料製の長尺なガラスランチャンネル組立体１２が装着され、このガラスランチャンネル組立体１２によって図示しない窓ガラスの昇降移動（スライド移動）が案内されるようになっている。
【００２２】
次に、図１乃至図６に基づいてガラスランチャンネル組立体１２の構成について説明する。但し、要部が実質的に同じ部分には同一符号を付して説明を簡略化する。
図１及び図２に示すように、ガラスランチャンネル組立体１２は、窓枠１１の上辺部に装着される押出成形部１３と、窓枠１１の縦辺部に装着される押出成形部１４と、上辺部に装着される押出成形部１３と縦辺部に装着される押出成形部１４とを接続して窓枠１１のコーナー部に装着される型成形部１５とから構成されている。
【００２３】
このガラスランチャンネル組立体１２を形成する弾性ポリマー材料は、例えば、ＴＰＯ（オレフィン系熱可塑性エラストマー）等が用いられ、押出成形部１３，１４は、押出成形により成形時は直線状に形成されている。また、型成形部１５は、型成形（射出成形）により窓枠１１のコーナー部の形状に合わせて曲った形状に形成されている。押出成形部１３，１４と型成形部１５を共にＴＰＯで形成することで、ゴムの場合の加硫が不要となり、押出成形部１３，１４や型成形部１５を押出成形や型成形で簡単に成形することができると共に、押出成形部１３，１４や型成形部１５に要求される適度な弾性を持たせることができる。
【００２４】
後述するように、型成形部１５の成形型３７（図８参照）に、上辺部に装着される押出成形部１３の端末部と縦辺部に装着される押出成形部１４の端末部とを所定の角度で交差させてセットした状態で、該成形型３７内にＴＰＯ等の弾性ポリマー材料を充填して型成形部１５を成形することで、上辺部に装着される押出成形部１３と縦辺部に装着される押出成形部１４とが型成形部１５を介して接合されている。
【００２５】
図２及び図３に示すように、押出成形部１３，１４は、ＴＰＯ等の弾性ポリマー材料の押出成形により、窓ガラスの端面に対向する基底部１６と、この基底部１６の幅方向両端側からそれぞれ立ち上がるように延びる車内側の側壁部１７及び車外側の側壁部１８と、各側壁部１７，１８の先端側からそれぞれ基底部１６の幅方向略中央側に向けて突出して折り返し状に形成された車内側のシールリップ１９及び車外側のシールリップ２０と、各側壁部１７，１８の先端側からそれぞれシールリップ１９，２０と反対側に向けて突出する車内側の遮蔽リップ２１及び車外側の遮蔽リップ２２と、各側壁部１７，１８の根元側の外側面からからそれぞれ基底部１６の幅方向外側に向けて突出する車内側の係合リップ２３及び車外側の係合リップ２４とが一体に成形されている。
【００２６】
一方、図２及び図４に示すように、型成形部１５は、ＴＰＯ等の弾性ポリマー材料の型成形により、窓ガラスの端面に対向する基底部２５と、この基底部２５の幅方向両端側からそれぞれ立ち上がるように延びる車内側の側壁部２６及び車外側の側壁部２７と、各側壁部２６，２７の先端側からそれぞれ基底部２５の幅方向略中央側に向けて突出して折り返し状に形成された車内側のシールリップ２８及び車外側のシールリップ２９と、各側壁部２６，２７の先端側からそれぞれシールリップ２８，２９と反対側に向けて突出する車内側の遮蔽リップ３０及び車外側の遮蔽リップ３１と、車外側の側壁部２７の根元側の外側面から基底部２５の幅方向外側に向けて突出する凸形状、典型的には山形断面の係合突起３２とが一体に成形されている。この係合突起３２は、係合リップ２４よりも横断面積が大きくなるように形成されている。また、車内側の側壁部２６は、その根元側が幅方向外側に向けて湾曲又は屈曲するように形成されている。
【００２７】
図３及び図４に示すように、窓枠１１の溝状部３４に沿ってガラスランチャンネル組立体１２（押出成形部１３，１４及び型成形部１５）を装着したときに、窓枠１１の車内側の係止部３５と車外側の係止部３６に、それぞれ押出成形部１３，１４の車内側の係合リップ２３と車外側の係合リップ２４が係合すると共に、窓枠１１の車外側の係止部３６に、型成形部１５の係合突起３２が係合することで、窓枠１１の溝状部３４にガラスランチャンネル組立体１２が抜け止め保持されるようになっている。また、押出成形部１３，１４の車内側のシールリップ１９と車外側のシールリップ２０が、それぞれ窓ガラスの表面に当接すると共に、型成形部１５の車内側のシールリップ２８と車外側のシールリップ２９が、それぞれ窓ガラスの表面に当接することで、窓ガラスを保持すると共に、窓枠１１と窓ガラスとの間をシールするようになっている。
【００２８】
また、図２及び図５に示すように、型成形部１５の車外側の係合突起３２の端末部（係合リップ２４との接合部）には、押出成形部１３，１４の車外側の係合リップ２４の先端と係合突起３２の頂点とが高さ方向の段差無く連続して繋がるように徐変係合突起部３３が設けられている。この徐変係合突起部３３は、係合リップ２４から係合突起３２の方に向かって、その山形断面形状の頂点の位置が係合リップ２４の先端に相当する位置から係合突起３２（徐変係合突起部３３以外の部分）の頂点に相当する位置まで係合リップ２４及び係合突起３２の幅方向において徐々に変化するように形成されている。
【００２９】
ここで、「高さ方向の段差が無い」とは、「車外側の側壁部１８の外表面から係合リップ２４の先端までの距離と、車外側の側壁部２７の外表面から徐変係合突起部３３及び係合突起３２の頂点までの距離とが、接合部及びその近傍の全域において一定だ」ということである。
【００３０】
これにより、図６に示すように、窓枠１１の溝状部３４に沿ってガラスランチャンネル組立体１２を装着したときに、係合リップ２４と係合突起３２との接合部及びその近傍の全域において係合リップ２４及び係合突起３２（徐変係合突起部３３を含む）が対向する窓枠１１の車外側の係止部３６に対して密着して係合するようになっている。ここで、図６は、係合リップ２４の先端及び係合突起３２（徐変係合突起部３３を含む）の頂点に沿って押出成形部１３及び型成形部１５を切断した場合の縦断面図である。
【００３１】
次に、図７乃至図１２に基づいてガラスランチャンネル組立体１２の製造方法を説明する。
まず、型成形部１５の成形型３７（図８参照）について説明する。図１０乃至図１２に示すように、成形型３７は、上型３８と下型３９と中子４０とから構成されて、上下方向に開閉できるようになっている。
【００３２】
図８及び図１０に示すように、成形型３７の左右両側には、それぞれ押出成形部１３，１４の端末部を所定の角度で交差させた状態で保持するための保持キャビティ４１が形成されている。図１０に示すように、この保持キャビティ４１は、押出成形部１３，１４の端面（型成形部１５との接合面）付近以外を保持する部分において、車外側の係合リップ２４を車外側の側壁部１８から離した状態で保持すると共に、車内側の係合リップ２３の先端を車内側の側壁部１７に接触させた状態で保持するように形成されている。
【００３３】
また、図１１に示すように、保持キャビティ４１のうちの押出成形部１３，１４の端面付近を保持する部分において、中子４０のうちの車外側の側壁部１８の根元側（基底部１６側）を保持する位置に長手方向において接合部及びその近傍にわたる長さで、外側方向に突出する突起４２が設けられ、この中子４０の突起４２により車外側の側壁部１８の根元側を外側方向へ押し出して車外側の係合リップ２４に密着させて、車外側の係合リップ２４の先端と係合突起３２の頂点との間に高さ方向の段差を無くした状態で車外側の係合リップ２４を保持するようになっている。一方、保持キャビティ４１のうちの押出成形部１３，１４の端面付近を保持する部分において、上型３８で車内側の係合リップ２３を車内側の側壁部１７に押し付けて潰した状態で車内側の係合リップ２３を保持するようになっている。この場合、接合部近傍において車外側の側壁部１８と車外側の係合リップ２４とを密着させるため、型成形部１５を樹脂で射出成形したときに樹脂が両者の隙間から押出成形部１３，１４の方へ漏れ出すことがない。
【００３４】
また、図８及び図１２に示すように、成形型３７の中央部（左右の保持キャビティ４１の間）には、型成形部１５を成形するための成形キャビティ４３が形成され、この成形キャビティ４３のうちの型成形部１５の車外側の係合突起３２の端末部（係合リップ２４との接合部）に相当する部分で徐変係合突起部３３を成形するようになっている。
【００３５】
ガラスランチャンネル組立体１２を製造する場合には、まず、図７に示すように、押出成形工程で連続的に押出成形した連続押出成形体（図示せず）を所定の長さに切断した押出成形部１３，１４を準備する。本実施例１では、押出成形部１３，１４の端末部を長手方向とほぼ直角方向に直線状にカットしておく。
【００３６】
この後、保持工程を実行する。この保持工程では、成形型３７を開いた状態で成形型３７の左右の保持キャビティ４１に押出成形部１３，１４の端末部をセットした後、図８及び図１０に示すように、成形型３７を閉じて成形型３７の左右の保持キャビティ４１で押出成形部１３，１４の端末部を所定の角度で交差させた状態で保持する。この際、図１１に示すように、押出成形部１３，１４の端面（型成形部１５との接合面）付近において、中子４０の突起４２により車外側の側壁部１８の根元側を外側方向へ押し出して車外側の係合リップ２４に密着させて、車外側の係合リップ２４の先端と係合突起３２の頂点との間に高さ方向の段差が無くなるように車外側の係合リップ２４を保持した状態にする。
【００３７】
保持工程の実行後、型成形工程を実行する。この型成形工程では、成形型３７内に加熱溶融したＴＰＯ等の弾性ポリマー材料を射出して充填した後、該弾性ポリマー材料を固化させて押出成形部１３の端末部と押出成形部１４の端末部との間に型成形部１５を成形すると共に、押出成形部１３の端末部と押出成形部１４の端末部とを型成形部１５を介して接合する。この場合、押出成形部１３，１４の基底部１６と側壁部１７，１８とシールリップ１９，２０と遮蔽リップ２１，２２が、それぞれ型成形部１５の基底部２５と側壁部２６，２７とシールリップ２８，２９と遮蔽リップ３０，３１に接合される。更に、押出成形部１３，１４の車外側の係合リップ２４の先端と型成形部１５の車外側の係合突起３２の頂点とが徐変係合突起部３３を介して高さ方向の段差無く連続して繋がるように車外側の係合リップ２４と車外側の係合突起３２とが接合される。
【００３８】
型成形工程の実行後、成形型３７を開いて成形型３７から接合状態の押出成形部１３，１４及び型成形部１５（図９参照）を取り出す。以上説明した方法で、上辺部に装着される押出成形部１３の一方の端末部に型成形部１５を介して一方の縦辺部に装着される押出成形部１４の端末部を接合した後、同じ方法で、上辺部に装着される押出成形部１３の他方の端末部に型成形部１５を介して他方の縦辺部に装着される押出成形部１４の端末部を接合することで、ガラスランチャンネル組立体１２の製造が完了する。
【００３９】
以上説明した本実施例１では、押出成形部１３，１４の車外側の係合リップ２４の先端と型成形部１５の車外側の係合突起３２の頂点とが高さ方向の段差無く連続して繋がるように係合リップ２４と係合突起３２とを接合することで、係合リップ２４と係合突起３２との接合部及びその近傍の全域において係合リップ２４、徐変係合突起部３３及び係合突起３２を対向する窓枠１１に対して十分な密着力で密着して係合させることができるため、係合リップ２４と係合突起３２との接合部の水や音等に対するシール性を向上させることができる。
【００４０】
しかも、型成形部１５の成形型３７をスライドコア構造にしなくても、型成形部１５に山形断面の係合突起３２を設けることができるため、型成形部１５の成形型３７の型構造を簡単化することができる。これにより、型成形部１５の成形型３７をあまり大型化することなく一度に多数の型成形部１５を成形可能な構成にして、型成形部１５を多数個取りにより効率良く成形することが可能となり、ガラスランチャンネル組立体１２の製造効率を向上させることができる。
【００４１】
また、本実施例１では、係合突起３２を、係合リップ２４よりも横断面積が大きくなるように形成したので、係合リップ２４と係合突起３２の接合が容易且つ確実になる上、窓枠１１にガラスランチャンネル組立体１２を装着する際に、窓枠１２に型成形部１５の係合突起３２を確実に係合させることができる。
【００４２】
更に、本実施例１では、押出成形部１３，１４の車内側及び車外側の両方に係合リップ２３，２４を設けると共に、型成形部１５の車外側のみに係合突起３２を設け、車外側の係合リップ２４の先端と係合突起３２の頂点とが高さ方向の段差無く連続して繋がるように車外側の係合リップ２４と係合突起３２とを接合するようにしたので、車外側の係合リップ２４と係合突起３２によってガラスランチャンネル組立体１２の車外側のシール性を良好に確保することができる。
【実施例２】
【００４３】
次に、図１３及び図１４を用いて本発明の実施例２を説明する。但し、前記実施例１と実質的に同一部分には同一符号を付して説明を簡略化し、主として前記実施例１と異なる部分について説明する。
【００４４】
前記実施例１では、押出成形部１３，１４の端末部を長手方向とほぼ直角方向に直線状にカット（車外側の側壁部１８の端末部も直線状にカット）した状態で成形型３７にセットするようにしたが、押出成形部１３，１４の端末部において成形型３７の中子４０の突起４２によって車外側の側壁部１８の根元側を外側方向へ押し出して車外側の係合リップ２４に密着させたとき（図１１参照）に、車外側の側壁部１８を外側方向へ押し出して湾曲させた分だけ車外側の側壁部１８が根元側（基底部１６側）に引っ張られるため、車外側の側壁部１８の高さ寸法（側壁部１８の根元部からその反対側の先端部までの距離）が短くなり、その結果、接合部において側壁部１８の高さが低くなる（高さ方向の段差ができる）可能性がある。
【００４５】
この対策として、本実施例２では、図１３に示すように、押出成形部１３，１４の車外側の側壁部１８の端末部を該側壁部１８の先端側よりも根元側（基底部１６側）の方が余計に残るように段カットする。つまり、押出成形部１３，１４の端末部において車外側の側壁部１８の根元側よりも先端側の方が押出成形部１３，１４の長手方向に短くなるように、車外側の側壁部１８の先端側とシールリップ２０及び遮蔽リップ２２を車外側の側壁部１８の根元側及び基底部１６よりも長手方向に余分に切除して段カット部４４を設ける。
【００４６】
このようにして、押出成形部１３，１４の車外側の側壁部１８の端末部を段カットした状態で、押出成形部１３，１４の端末部を成形型３７にセットした後、型成形工程を実行することで、図１４に示すように、押出成形部１３，１４の端末部の段カット部４４（車外側の側壁部１８の先端側とシールリップ２０及び遮蔽リップ２２）を成形型３７で型成形する。
【００４７】
このようにすれば、押出成形部１３，１４の端末部において成形型３７の中子４０の突起４２によって車外側の側壁部１８の根元側を外側方向へ押し出して車外側の係合リップ２４に密着させたときに、車外側の側壁部１８を外側方向へ押し出して湾曲させた分だけ車外側の側壁部１８が根元側（基底部１６側）に引っ張られても、押出成形部１３，１４の端末部の段カット部４４（車外側の側壁部１８の先端側とシールリップ２０及び遮蔽リップ２２）を成形型３７で型成形することができるため、車外側の側壁部１８の高さ寸法が短くなることを防止することができる。
【００４８】
尚、上記各実施例１，２では、型成形部１５の車外側のみに係合突起３２を設け、車外側のみで係合リップ２４の先端と係合突起３２の頂点とが段差無く連続して繋がるように係合リップ２４と係合突起３２とを接合するようにしたが、型成形部１５の車内側及び車外側の両方に係合突起を設け、車内側及び車外側の両方で係合リップの先端と係合突起の頂点とが段差無く連続して繋がるように係合リップと係合突起とを接合するようにしても良い。このようにすれば、車内側及び車外側の両方の係合リップと係合突起によってガラスランチャンネル組立体の車内側及び車外側の両方でシールできるため、確実にシールすることができる。
【００４９】
また、上記各実施例１，２では、押出成形部１３，１４と型成形部１５を両方ともＴＰＯで成形するようにしたが、押出成形部１３，１４と型成形部１５のうちのどちらか一方又は両方をゴム（例えばＥＰＤＭ）で成形するようにしても良い。
また、係合突起の断面形状は、山形に限らず、台形等、成形等に支障がない限度で適宜な形状を取りうる。
【００５０】
また、本発明の適用範囲は、サッシュドアの窓枠に装着されるガラスランチャンネル組立体に限定されず、パネルドアの窓枠に装着されるガラスランチャンネル組立体やドア以外の窓枠に装着されるガラスランチャンネル組立体に本発明を適用しても良い。
【図面の簡単な説明】
【００５１】
【図１】本発明の実施例１におけるガラスランチャンネル組立体の正面図である。
【図２】実施例１のガラスランチャンネル組立体の要部の斜視図である。
【図３】図２のＡ−Ａ断面図である。
【図４】図２のＢ−Ｂ断面図である。
【図５】図２のＣ−Ｃ断面図である。
【図６】図２のＤ−Ｄ断面図である。
【図７】実施例１の押出成形部の斜視図である。
【図８】実施例１の押出成形部を成形型にセットした状態を示す斜視図である。
【図９】実施例１の押出成形部と型成形部とを接合した状態を示す斜視図である。
【図１０】図８のＥ−Ｅ断面図である。
【図１１】図８のＦ−Ｆ断面図である。
【図１２】図８のＧ−Ｇ断面図である。
【図１３】実施例２の押出成形部の斜視図である。
【図１４】実施例２の押出成形部と型成形部とを接合した状態を示す斜視図である。
【符号の説明】
【００５２】
１１…窓枠、１２…ガラスランチャンネル組立体、１３，１４…押出成形部、１５…型成形部、１６…基底部、１７，１８…側壁部、１９，２０…シールリップ、２１，２２…遮蔽リップ、２３，２４…係合リップ、２５…基底部、２６，２７…側壁部、２８，２９…シールリップ、３０，３１…遮蔽リップ、３２…係合突起、３３…徐変係合突起部、３７…成形型、３８…上型、３９…下型、４０…中子、４１…保持キャビティ、４２…突起、４３…成形キャビティ、４４…段カット部
【図１】
0004726086.tif 000002
【図２】
0004726086.tif 000003
【図３】
0004726086.tif 000004
【図４】
0004726086.tif 000005
【図５】
0004726086.tif 000006
【図６】
0004726086.tif 000007
【図７】
0004726086.tif 000008
【図８】
0004726086.tif 000009
【図９】
0004726086.tif 000010
【図１０】
0004726086.tif 000011
【図１１】
0004726086.tif 000012
【図１２】
0004726086.tif 000013
【図１３】
0004726086.tif 000014
【図１４】
0004726086.tif 000015